(57)【要約】【課題】位置検出センサ等を備えずに電源投入時の清掃部材の位置を検出し、必要に応じて画像形成動作に影響を与えない位置にまで前記清掃部材を退避させる画像形成装置を提供する。【解決手段】像担持体と、前記像担持体の周囲に設置されたコロナ帯電器と、前記コロナ帯電器に張架された放電ワイヤに沿って移動可能な清掃部材を備えた清掃機構と、所定時期に前記清掃部材を退避領域と清掃領域との間で駆動制御する清掃制御手段３２を備えてなる画像形成装置であって、前記清掃機構の動作状態を記憶する状態記憶手段３３を備え、前記清掃制御手段３２は電源投入時に前記状態記憶手段３３により前記清掃機構が動作状態であったことを検出すると、前記清掃部材を前記退避領域に駆動制御する。【選択図】図１
2007233281.tif 000002
【特許請求の範囲】
【請求項１】
像担持体と、前記像担持体の周囲に設置されたコロナ帯電器と、前記コロナ帯電器に張架された放電ワイヤに沿って移動可能な清掃部材を備えた清掃機構と、所定時期に前記清掃部材を退避領域と清掃領域との間で駆動制御する清掃制御手段を備えてなる画像形成装置であって、
前記清掃機構の動作状態を記憶する状態記憶手段を備え、前記清掃制御手段は電源投入時に前記状態記憶手段により前記清掃機構が動作状態であったことを検出すると、前記清掃部材を前記退避領域に駆動制御する画像形成装置。
【請求項２】
前記状態記憶手段を前記清掃機構による必要清掃時間をカウントするカウンタで構成し、前記清掃制御手段は電源投入時の前記カウンタの値に基づいて前記清掃機構が動作状態であったことを検出すると、前記清掃部材の前記退避領域への最大必要移動時間だけ前記清掃機構を駆動制御する請求項１記載の画像形成装置。
【請求項３】
前記状態記憶手段を前記清掃機構による必要清掃時間をカウントするカウンタで構成し、前記清掃制御手段は電源投入時の前記カウンタの値に基づいて前記清掃機構が動作状態であったことを検出すると、前記カウンタの値に基づいて演算される前記清掃部材の前記退避領域への最小必要移動時間だけ前記清掃機構を駆動制御する請求項１記載の画像形成装置。
【請求項４】
前記状態記憶手段を前記清掃機構による必要清掃時間をカウントするカウンタで構成し、前記清掃制御手段は電源投入時の前記カウンタの値に基づいて前記清掃機構が動作状態であったことを検出すると、前記カウンタの値に基づいて演算される前記清掃部材の清掃履歴に基づいて、未清掃領域を清掃した後に前記退避領域に移動するのに必要な時間だけ前記清掃機構を駆動制御する請求項１記載の画像形成装置。
【請求項５】
前記清掃部材を前記退避領域へ強制復帰させるスイッチ手段を備え、前記清掃制御手段は前記スイッチ手段が操作されたときに、前記清掃部材を前記退避領域に駆動制御する請求項１から４の何れかに記載の画像形成装置。
【発明の詳細な説明】
【技術分野】
【０００１】
本発明は、少なくとも放電ワイヤを有する帯電器の前記放電ワイヤを清掃する清掃部材と、前記清掃部材の動作を制御する制御手段を備えた画像形成装置の帯電器清掃装置に関する。
【背景技術】
【０００２】
従来から、放電ワイヤを張架したコロナ帯電器を備える電子写真方式の画像形成装置では、前記画像形成装置の使用により、前記コロナ帯電器に張架された前記放電ワイヤに、放電生成物や飛散トナー、紙粉等が付着して、放電ムラが発生する虞があり、前記コロナ帯電器に前記放電ワイヤを清掃する清掃部材を備え、汚れを清掃することで前記放電ムラが抑えられるように構成されていた。
【０００３】
前記コロナ帯電器は、増担持体の帯電手段や前記像担持体に担持されたトナー像を記録媒体に転写させる転写手段、前記転写手段による転写工程前に前記像担持体に担持されたトナー像の帯電量を調整する転写前帯電手段、前記転写工程を経た前記記録媒体を前記像担持体から分離する分離手段等に用いられ、夫々が備える放電ワイヤの汚れ度合いには差があった。例えば、前記転写手段や前記分離手段に用いられるコロナ帯電器の放電ワイヤは、前記像担持体の帯電手段に用いられるコロナ帯電器の放電ワイヤに比べ、飛散トナーや紙粉等が付着しやすく、汚れやすかった。
【０００４】
そこで、特許文献１には、前記コロナ帯電器の清掃を実施する時期を各帯電器に設定することで、夫々での帯電ムラの発生を防止し、さらに前記像担持体の帯電手段である前記コロナ帯電器の前記清掃部材が寿命を迎えるまでの時間を長くする画像形成装置が提案されている。
【０００５】
【特許文献１】特開２００２−２６８３３９号公報
【発明の開示】
【発明が解決しようとする課題】
【０００６】
しかし、前記コロナ帯電器の放電ワイヤの清掃中に前記画像形成装置の電源がオフされ、前記清掃部材が前記放電ワイヤの清掃部位にとどまることになると、画像形成装置の動作時における画像形成動作に悪影響を及ぼす虞があるが、上述した従来技術では考慮されておらず、さらなる改良の余地があった。さらに前記清掃部材の位置を検出するため前記画像形成装置に位置検出センサ等を備えると、部材点数が増えコスト増となると共に前記清掃部材の制御手段も複雑化し、好ましくない。
【０００７】
本発明は、上述の従来欠点に鑑み、位置検出センサ等を備えずに電源投入時の清掃部材の位置を検出し、必要に応じて画像形成動作に影響を与えない位置にまで前記清掃部材を退避させる画像形成装置を提供する点にある。
【課題を解決するための手段】
【０００８】
上述の目的を達成するため、本発明による画像形成装置の第一の特徴構成は、特許請求の範囲の書類の請求項１に記載した通り、像担持体と、前記像担持体の周囲に設置されたコロナ帯電器と、前記コロナ帯電器に張架された放電ワイヤに沿って移動可能な清掃部材を備えた清掃機構と、所定時期に前記清掃部材を退避領域と清掃領域との間で駆動制御する清掃制御手段を備えてなる画像形成装置であって、前記清掃機構の動作状態を記憶する状態記憶手段を備え、前記清掃制御手段は電源投入時に前記状態記憶手段により前記清掃機構が動作状態であったことを検出すると、前記清掃部材を前記退避領域に駆動制御する点にある。
【０００９】
上述の構成によれば、清掃制御手段は電源投入時に状態記憶手段により清掃機構が動作状態であったことを検出する、言い換えると、清掃部材が清掃領域にあることを検出すると、前記清掃部材を退避領域に駆動制御するため、前記清掃部材による帯電ムラを防止し、画像形成時における画像乱れを回避させることができる。
【００１０】
同第二の特徴構成は、同請求項２に記載した通り、上述の第一特徴構成に加えて、前記状態記憶手段を前記清掃機構による必要清掃時間をカウントするカウンタで構成し、前記清掃制御手段は電源投入時の前記カウンタの値に基づいて前記清掃機構が動作状態であったことを検出すると、前記清掃部材の前記退避領域への最大必要移動時間だけ前記清掃機構を駆動制御する点にある。
【００１１】
上述の構成によれば、前記清掃部材が清掃領域の何れの位置にあるときにも、前記清掃制御手段は前記清掃部材を確実に退避領域まで退避させることができる。
【００１２】
同第三の特徴構成は、同請求項３に記載した通り、上述の第一特徴構成に加えて、前記状態記憶手段を前記清掃機構による必要清掃時間をカウントするカウンタで構成し、前記清掃制御手段は電源投入時の前記カウンタの値に基づいて前記清掃機構が動作状態であったことを検出すると、前記カウンタの値に基づいて演算される前記清掃部材の前記退避領域への最小必要移動時間だけ前記清掃機構を駆動制御する点にある。
【００１３】
上述の構成によれば、前記清掃部材が清掃領域の何れの位置にあるときにも、前記清掃制御手段は前記清掃部材を最短時間で退避領域まで退避させることができる。
【００１４】
同第四の特徴構成は、同請求項４に記載した通り、上述の第一特徴構成に加えて、前記状態記憶手段を前記清掃機構による必要清掃時間をカウントするカウンタで構成し、前記清掃制御手段は電源投入時の前記カウンタの値に基づいて前記清掃機構が動作状態であったことを検出すると、前記カウンタの値に基づいて演算される前記清掃部材の清掃履歴に基づいて、未清掃領域を清掃した後に前記退避領域に移動するのに必要な時間だけ前記清掃機構を駆動制御する点にある。
【００１５】
上述の構成によれば、前記清掃部材が清掃領域の何れの位置にあるときにも、前記清掃制御手段は前記放電ワイヤの未清掃領域を確実に清掃して帯電ムラの発生を防止した上で、前記清掃部材を退避領域まで退避させることができる。
【００１６】
同第五の特徴構成は、同請求項５に記載した通り、上述の第一から第四の何れかの特徴構成に加えて、前記清掃部材を前記退避領域へ強制復帰させるスイッチ手段を備え、前記清掃制御手段は前記スイッチ手段が操作されたときに、前記清掃部材を前記退避領域に駆動制御する点にある。
【００１７】
上述の構成によれば、何らかの要因で前記清掃部材が前記清掃領域にあるとき、例えば、サービスマンによるメンテナンスで前記清掃部材が前記清掃領域にあるとき等に、前記清掃部材を確実に退避領域まで退避させることができる。
【発明の効果】
【００１８】
以上説明した通り、本発明によれば、位置検出センサ等を備えずに電源投入時の清掃部材の位置を検出し、必要に応じて画像形成動作に影響を与えない位置にまで前記清掃部材を退避させる画像形成装置を提供することができるようになった。
【発明を実施するための最良の形態】
【００１９】
以下に本発明による画像形成装置を説明する。本発明による画像形成装置の一例である複写機Ａは、図２に示すように、原稿画像を原稿画像データとして読み取る画像読取部１と、前記画像読取部１により読み取られた原稿画像データに所定の処理を施して出力画像データを生成する出力画像データ生成部２と、前記出力画像データ生成部２からの出力画像データに基づいて出力用紙である記録紙Ｄに画像を形成して出力する画像形成部３と、当該複写機Ａの複写動作を起動するプリントキーや複写枚数などを設定する数値キーなどのハードキー群とタッチパネル式のカラー液晶表示部からなる操作パネル部４と、前記各部の制御部を統括制御するシステム制御部５を備えて構成されている。
【００２０】
前記画像形成部３は、前記出力画像データに基づいて像担持体となる感光体３０２にトナー画像を形成するトナー画像形成部３０１と、転写部３０６において前記感光体３０２に形成された前記トナー画像が転写される記録紙Ｄを搬送する搬送部と、前記記録紙Ｄ上に転写された前記トナー像を内部に挿入設置された加熱ヒータ（図示せず）と温度センサ（図示せず）により所定温度に加熱された定着ローラにより加熱溶融して定着する定着部３１４と、前記画像形成部３の各部を制御する画像形成制御部３０を備えて構成されている。
【００２１】
前記搬送部は、夫々サイズの異なる記録紙Ｄが収容された給紙カセット３０９と、前記記録紙Ｄを１枚ずつ搬送する給紙搬送部３１０と、前記給紙された記録紙Ｄを前記転写部３０６に搬送し、トナー像が転写された前記記録紙Ｄを前記定着部３１４に向けて搬送する定着搬送部３１１と、前記定着部３１４を通過した前記記録紙Ｄを排紙トレイ３１２に排紙する排紙搬送部３１３を備えて構成されている。
【００２２】
前記トナー画像形成部３０１は、前記感光体３０２と、前記感光体３０２の周囲に順に配置され、表面を均一にコロナ帯電するコロナ帯電器からなる帯電チャージャー３０３と、帯電された前記感光体３０２を露光して静電潜像を形成するプリントヘッド３０４と、前記形成された静電潜像にトナーを静電付着させてトナー像を顕像化する現像部３０５と、前記トナー像を記録紙Ｄに転写する前記転写部３０６と、転写後に前記感光体３０２に残存するトナーを除去するクリーニング部３０７と、前記感光体３０２表面の残留電位を落して均一にする除電ランプ３０８を備えて構成されている。尚、前記現像部３０５には、カラー画像を生成可能とするため、シアン、マゼンダ、イエロー、ブラックの４色の現像ブロックが配置されている。
【００２３】
前記帯電チャージャー３０３は、図３に示すように、前記放電チャージャー３０３のシールドケース３０３ａ内に張架された放電ワイヤ３０３ｂと、前記放電ワイヤ３０３ｂに沿って移動可能な清掃機構３０３ｅと、正逆転駆動可能な直流モータとギア等からなる回転駆動機構３０３ｄと、前記回転駆動機構３０３ｄにより正逆に回転駆動される螺旋軸３０３ｃとを備えたコロトロンタイプの帯電器となっている。
【００２４】
前記清掃機構３０３ｅは、図４（ａ）、（ｂ）に示すように、清掃部材３０３ｆ、３０３ｇと、前記清掃部材３０３ｆ、３０３ｇを保持する清掃部材保持機構３０３ｈと、前記螺旋軸３０３ｃに螺合し、前記螺旋軸３０３ｃの回転運動により前記清掃部材保持機構３０３ｈを前記放電ワイヤ３０３ｂに沿って移動させる雌ねじ部材３０３ｉとから構成され、前記螺旋軸３０３ｃの両端部に夫々形成された螺旋のない非螺旋部において、前記雌ねじ部材３０３ｉは遊嵌状態となり、さらに、前記雌ねじ部材３０３ｉに押されて圧縮され、前記雌ねじ部材３０３ｉを螺進方向とは反対方向に付勢させるように設置されたバネ部材（図示せず）により、前記雌ねじ部材３０３ｉが前記螺旋軸３０３ｃの螺旋部終端に押し当てられるように構成されているため、前記螺旋軸３０３ｃが逆回転するとき、前記雌ねじ部材３０３ｉは前記螺旋軸３０３ｃと確実に螺合し、前記清掃機構３０３ｅは確実に逆方向に駆動する。
【００２５】
前記清掃機構３０３ｅの進行方向には、図４（ａ）に示すように、前記清掃部材３０３ｆ、３０３ｇが前記放電ワイヤ３０３ｂに接触し、前記放電ワイヤ３０３ｂを清掃する清掃方向と、前記清掃部材保持機構３０３ｈが進行方向とは逆に傾き前記清掃部材３０３ｆ、３０３ｇが前記放電ワイヤ３０３ｂから離間し、前記放電ワイヤ３０３ｂを清掃しない非清掃方向がある。
【００２６】
前記画像形成制御部３０は、図１に示すように、上述の画像形成動作を制御する画像形成手段３１と、前記清掃部材３０３ｆ、３０３ｇを備える清掃機構３０３ｅを駆動制御する清掃制御手段３２と、前記清掃機構３０３ｅの動作状態を記憶する状態記憶手段３３を備えて構成され、各手段は前記画像形成制御部３０が備えるマイクロコンピュータやＲＡＭ等により実行される。
【００２７】
前記清掃制御手段３２は、前記螺旋軸３０３ｃの両端にあたり、前記両端の一端が清掃実施時以外に前記清掃機構３０３ｅが通常収納される前記清掃機構３０３ｅのホームポジション（ＨＰ）であり、他端が仮ホームポジション（仮ＨＰ）である退避領域と、前記清掃部材３０３ｆ、３０３ｇが前記放電ワイヤ３０３ｂの清掃を実施する清掃領域の間で、所定時期に前記回転駆動機構３０３ｄを制御することで前記清掃機構３０３ｅを駆動制御する。従って、前記清掃機構３０３ｅに備えられた前記清掃部材３０３ｆ、３０３ｇにも前記ホームポジションと前記仮ホームポジションからなる前記退避領域と前記清掃領域が存在し、前記清掃部材３０３ｆ、３０３ｇは、前記清掃制御手段３２により前記所定時期に前記退避領域と前記清掃領域の間で駆動制御されることとなる。
【００２８】
ここで、前記清掃機構３０３ｅ及び前記清掃部材３０３ｆ、３０３ｇが前記ホームポジションから前記仮ホームポジションまで駆動する方向を前記清掃方向とし、前記仮ホームポジションから前記ホームポジションまで駆動する方向を前記非清掃方向とする。言い換えれば、前記清掃制御手段３２は、前記所定時期に前記清掃機構３０３ｅを、まずはホームポジションから仮ホームポジションまで前記清掃方向に、続いて仮ホームポジションからホームポジションまで前記非清掃方向に、駆動制御することで、前記清掃部材３０３ｆ、３０３ｇが前記前記帯電チャージャー３０３の放電ワイヤ３０３ｂを清掃する。
【００２９】
前記状態記憶手段３３は、前記画像形成制御部３０の備える内部クロック（図示せず）のクロック数をカウントするカウンタ３４と、前記カウンタ３４がカウントしたカウント値を記憶する前記画像形成制御部３０の備える不揮発性メモリ（図示せず）からなるカウント記憶手段３５で構成され、前記清掃制御手段３２は、前記カウント記憶手段３５に記憶されたカウント値が第一所定値になるまで前記清掃機構３０３ｅを前記清掃方向に駆動制御し、前記第一所定値から第二所定値になるまで前記非清掃方向に駆動制御する。前記状態記憶手段３３は、前記清掃機構３０３ｅがホームポジションにあるとき、前記カウント記憶手段３５に記憶したカウント値を「０」リセットする。つまり、前記状態記憶手段３３は、図５に示すように、前記清掃機構３０３ｅが前記ホームポジションから再度、前記ホームポジションに戻るまでカウント値をカウントアップし、前記カウント記憶手段３５に記憶する。よって、前記カウント記憶手段３５のカウント値を参照することで、前記清掃機構３０３ｅの位置及び動作状態を知ることができる。
【００３０】
本実施例では、所定時期は、電源スイッチ投入時や該複写機Ａのドアが開放された後再び閉じられたとき等の電源投入時におけるウォームアップタイムを短縮するため電源投入時とせず、所定回数の画像形成動作が実施されたときを設定している。
【００３１】
前記所定時期における前記清掃制御手段３２による前記清掃機構３０３ｅの駆動制御中に、該複写機Ａの電源スイッチがオフされると、前記清掃機構３０３ｅは前記ホームポジションに戻ることができず、その位置に停止する。該複写機Ａに電源が投入されると、前記清掃制御手段３２は、前記カウント記憶手段３５の記憶したカウント値を参照し、前記カウント値が「０」でない場合、前記清掃機構３０３ｅが動作状態にあったことを検知し、前記清掃機構３０３ｅを前記ホームポジションまたは前記仮ホームポジションからなる前記退避領域への最小必要移動時間だけ駆動させ、前記清掃部材３０３ｆ、３０３ｇを退避させる。なお、前記仮ホームポジションに退避させた場合、再び前記所定時期となった際には、前記清掃機構３０３ｅを前記ホームポジションまで戻した後、清掃動作を実行することで、前記清掃部材３０３ｆ、３０３ｇが前記放電ワイヤ３０３ｂを確実に清掃するように構成されている。
【００３２】
詳述すると、前記カウント値が前記第一所定値の半分未満の値であるときには、前記カウンタ３４は前記カウント値をカウントダウンし、前記カウント値が「０」となるまでの間、前記清掃制御手段３２は前記清掃機構３０３ｅを前記非清掃方向に駆動制御し、前記清掃部材３０３ｆ、３０３ｇを前記ホームポジションに退避させる。
【００３３】
前記カウント値が前記第一所定値の半分以上であり、前記第一所定値未満の値であるときには、前記カウンタ３４は前記カウント値をカウントアップし、前記カウント値が「第一所定値」となるまでの間、前記清掃制御手段３２は前記清掃機構３０３ｅを前記清掃方向に駆動制御し、前記清掃部材３０３ｆ、３０３ｇを前記仮ホームポジションに退避させる。
【００３４】
前記カウント値が前記第一所定値以上であり、前記第二所定値と前記第一所定値の中間値の半分未満の値であるときには、前記カウンタ３４は前記カウント値をカウントダウンし、前記カウント値が「第一所定値」となるまでの間、前記清掃制御手段３２は前記清掃機構３０３ｅを前記非清掃方向に駆動制御し、前記清掃部材３０３ｆ、３０３ｇを前記仮ホームポジションに退避させる。
【００３５】
前記カウント値が前記第二所定値と前記第一所定値の中間値の半分以上の値であるときには、前記カウンタ３４は前記カウント値をカウントアップし、前記カウント値が「第二所定値」となるまでの間、前記清掃制御手段３２は前記清掃機構３０３ｅを前記清掃方向に駆動制御し、前記清掃部材３０３ｆ、３０３ｇを前記ホームポジションに退避させる。
【００３６】
サービスマンにより該複写機Ａのメンテナンスが実施され前記清掃部材３０３ｆ、３０３ｇが前記退避領域にないと想定されるとき等には、該複合機Ａのオペレータは、前記操作パネル部４に配置された前記清掃部材を前記退避領域に強制復帰させる清掃リセットスイッチ（図示せず）を押圧することで、前記清掃部材３０３ｆ、３０３ｇを前記ホームポジションまたは前記仮ホームポジションからなる前記退避領域まで駆動させる。
【００３７】
詳述すると、前記清掃リセットスイッチが押圧されると、前記清掃制御手段３２は、前記状態記憶手段３３の備える前記カウント記憶手段３５の記憶したカウント値によらず、前記カウンタ３４がカウントするカウント値が前記第一所定値となるまでの間、前記清掃機構３０３ｅを前記非清掃方向に駆動制御し、前記清掃部材３０３ｆ、３０３ｇを前記ホームポジションである前記退避領域まで駆動し、前記カウント記憶手段のカウント値を「０」にリセットする。
【００３８】
以下、別実施形態を説明する。上述の構成では、コロトロンタイプの帯電チャージャーを用いる構成としたが、放電ワイヤとグリッドを備えるスコロトロンタイプの帯電チャージャーを用いる構成であっても良く、この場合、さらにグリッドの清掃を行う清掃部材を前記清掃機構に設ける構成であっても良い。
【００３９】
上述の構成では、画像形成装置が備え、感光体表面を一様に帯電させるコロナ帯電器からなる帯電チャージャーの清掃を所定時期に実施する構成としたが、前記画像形成装置が備える全てまたは何れかの帯電器で前記所定時期または異なる所定時期に夫々の清掃を実施する構成であっても良い。
【００４０】
上述の構成では、清掃部材による放電ワイヤの清掃は、一方向（清掃方向）において実施され、他方向（非清掃方向）においては実施されず、往復運動することで清掃動作が完了する構成としたが、両方向において実施される構成としても良く、この場合、仮ホームポジションは必要なく、前記螺旋軸の両端を前記清掃機構のホームポジションとすることができる。
【００４１】
上述の構成では、螺旋軸の両端に退避領域を備える構成としたが、前記螺旋軸の一方のみを前記退避領域とする構成としても良い。
【００４２】
上述の構成では、所定時期にカウンタがカウントするカウント値は、図５に示すように、ホームポジションから仮ホームポジションを経由して再びホームポジションに戻るまでカウントアップする構成としたが、図６に示すように、カウントダウンする構成でも良く、または往路にはカウントアップし、復路ではカウントダウンする構成でも良く、または往路ではカウントダウンし、復路ではカウントアップする構成でも良く、夫々において、清掃制御手段は、状態記憶手段に記憶された前記カウント値から前記制御機構の動作状態を検出できる構成とすればよい。
【００４３】
上述の構成では、状態記憶手段を清掃機構による必要清掃時間をカウントするカウンタで構成し、清掃制御手段は電源投入時の前記カウンタの値に基づいて前記清掃機構が動作状態であったことを検出すると、前記カウンタの値に基づいて演算される清掃部材の退避領域への最小必要移動時間だけ前記清掃機構を駆動制御する構成としたが、状態記憶手段を清掃機構による必要清掃時間をカウントするカウンタで構成し、清掃制御手段は電源投入時の前記カウンタの値に基づいて前記清掃機構が動作状態であったことを検出すると、前記カウンタの値に基づいて演算される清掃部材の清掃履歴に基づいて、未清掃領域を清掃した後に前記退避領域に移動するのに必要な時間だけ前記清掃機構を駆動制御する構成としても良い。
【００４４】
上述の構成では、状態記憶手段を清掃機構による必要清掃時間をカウントするカウンタで構成し、清掃制御手段は電源投入時の前記カウンタの値に基づいて前記清掃機構が動作状態であったことを検出すると、前記カウンタの値に基づいて演算される清掃部材の退避領域への最小必要移動時間だけ前記清掃機構を駆動制御する構成としたが、状態記憶手段を清掃機構による必要清掃時間をカウントするカウンタで構成し、清掃制御手段は電源投入時の前記カウンタの値に基づいて前記清掃機構が動作状態であったことを検出すると、清掃部材の退避領域への最大必要移動時間だけ前記清掃機構を駆動制御する構成としても良い。
【００４５】
上述の構成では、状態記憶手段を清掃機構による必要清掃時間をカウントするカウンタで構成し、清掃制御手段は電源投入時の前記カウンタの値に基づいて前記清掃機構が動作状態であったことを検出する構成としたが、前記状態記憶手段を、前記清掃機構が動作中か否かのフラグを記憶するように構成し、清掃制御手段は電源投入時の前記状態記憶手段に記憶されたフラグに基づいて前記清掃機構が動作状態であったことを検出する構成としてもよい。
【００４６】
上述の構成では、操作パネル部に配置された清掃部材を退避領域に強制復帰させる清掃リセットスイッチを押圧することで、前記清掃部材による清掃を実施せず、前記清掃部材を前記退避領域まで駆動させる構成としたが、前記清掃部材による清掃を実施して、前記清掃部材を前記退避領域まで駆動させる構成としてもよい。
【００４７】
上述の構成では、清掃方向に清掃部材を駆動させる場合、清掃が実施される構成としたが、清掃機構に前記清掃部材による清掃を実施させない機構を備え、前記清掃方向への駆動時においても必要に応じて前記清掃部材による清掃を実施させない構成としても良い。
【００４８】
上述の実施形態は何れも本発明の一実施例に過ぎず、当該記載により本発明の範囲が限定されるものではなく、各部の具体的構成は本発明による作用効果を奏する範囲において適宜変更することができることは言うまでもない。
【図面の簡単な説明】
【００４９】
【図１】複写機の画像形成制御部の機能ブロック図
【図２】複写機の説明図
【図３】帯電チャージャーの説明図
【図４】清掃機構の説明図
【図５】状態記憶手段のカウンタがカウントするカウント値の説明図
【図６】別実施形態における状態記憶手段のカウンタがカウントするカウント値の説明図
【符号の説明】
【００５０】
３０：画像形成制御部
３１：画像形成手段
３２：清掃制御手段
３３：状態記憶手段
３４：カウンタ
３５：カウント記憶手段
【図１】
2007233281.tif 000003
【図２】
2007233281.tif 000004
【図３】
2007233281.tif 000005
【図４】
2007233281.tif 000006
【図５】
2007233281.tif 000007
【図６】
2007233281.tif 000008